(57)【要約】【課題】カット線を破断する等の煩瑣な作業を伴うことなく、内部空間に収納された被包装体を容易に取り出すことができ、再利用が可能な包装箱及びこれを用いた包装体を提供する。【解決手段】相対向する一対の側面６ａ，６ｂの各々から延出された一対の上部フラップ１０ａ，１０ｂを備え、一対の側面６ａ，６ｂのうちの一の側面６ａを起点Ｓとし、その側面６ａから延出された上部フラップ１０ａを終点Ｅとする一対のスリット１６ａ，１６ｂが形成されるとともに、一対の側面６ａ，６ｂのうちの他の側面６ｂを起点Ｓとし、その側面６ｂから延出された上部フラップ１０ｂを終点Ｅとする他の一対のスリット１６ａ，１６ｂが形成され、一対のスリット１４ａ，１４ｂと他の一対のスリット１６ａ，１６ｂとが、側面６ａ，６ｂ及び上部フラップ１０ａ，１０ｂの対応する位置に形成されている包装箱１。【選択図】図２
2007320632.tif 000002
【特許請求の範囲】
【請求項１】
上面、底面、及び四つの側面を有する形状に折り曲げられ、これらの面によって区画された、被包装体を収納し得る内部空間が形成された包装箱であって、
相対向する一対の側面の各々から延出された一対の上部フラップを備え、前記一対の上部フラップは内側に折り曲げられて、前記上面ないし前記上面に沿う面の少なくとも一部を構成し、
前記一対の側面のうちの一の側面を起点とし、その側面から延出された前記上部フラップを終点とする一対のスリットが形成されるとともに、
前記一対の側面のうちの他の側面を起点とし、その側面から延出された前記上部フラップを終点とする他の一対のスリットが形成され、
前記一対のスリットと前記他の一対のスリットとが、前記側面及び前記上部フラップの対応する位置に形成されている包装箱。
【請求項２】
請求項１に記載の包装箱の前記内部空間に、複数の箱体が収納された包装体であって、
前記複数の箱体は、前記一対のスリットが形成された側面及び前記他の一対のスリットが形成された側面と平行する方向に一列に収納されており、
前記複数の箱体のうちの少なくとも一の箱体が、前記一の側面における前記一対のスリットのスリット間領域と、前記他の側面における前記他の一対のスリットのスリット間領域との間に位置するように収納されている包装体。
【発明の詳細な説明】
【技術分野】
【０００１】
本発明は被包装体を収納し得る内部空間が形成された包装箱及びこれを用いた包装体に関し、具体的には、内部空間に収納された被包装体、特に箱状の被包装体を容易に取り出すことができる包装箱及び包装体に関する。
【背景技術】
【０００２】
多数の製品（被包装体）を一括して保管・移送するための包装材として、被包装体を収納し得る内部空間が形成された包装箱が用いられている。このような包装箱においては、保管や移送の効率を考慮して、比較的密な状態で被包装体が収納されることが多い。例えば、ティシュペーパーのカートン（ティシュカートン）を包装箱に収納する際には、複数個（通常、５個程度）のカートンを包装箱の内部空間に一列に配列して収納する方法等が採られる。
【０００３】
上記のような場合、カートンは包装箱の内部空間に密な状態で収納されており、カートンと包装箱の内壁との間には殆ど隙間がなく、その間に手を差し入れることは困難である。従って、包装箱からカートンを取り出し難いという問題があった。
【０００４】
このような被包装体の取り出しに関する問題は、被包装体がティシュカートンである場合に限られるものではなく、例えば、飲料用パックや飲料缶、ＰＰＣ用紙（コピー用紙）等、様々な製品を被包装体とした場合にも同様の問題が発生している。
【０００５】
そこで、上記のような問題を解決するため、被包装体を取り出し易くするための工夫を施した包装箱が開示されている。例えば、その一部にカット線、弱め線、ミシン目等が形成された段ボール箱や包装箱が提案されている（例えば、特許文献１〜３参照）。
【０００６】
【特許文献１】特開平９−３０９５２６号公報
【特許文献２】特開平１０−２３０９２９号公報
【特許文献３】特開２００１−６１７０２号公報
【発明の開示】
【発明が解決しようとする課題】
【０００７】
上記の段ボール箱や包装箱は、カット線等を破断することによって、段ボール箱や包装箱の一部が開口するように構成されている。従って、その開口部から被包装体（内容物）を容易に取り出すことが可能となる。
【０００８】
しかしながら、これらの段ボール箱ないし包装箱は、被包装体の取り出しを容易にするために、カット線等を破断するという煩瑣な作業を行う必要があった。また、一旦、カット線等を破断してしまうと、再度、被包装体を収納する包装箱として利用することはできなかった。従って、このような煩瑣な作業を伴うことなく、内部空間に収納された被包装体を容易に取り出すことができ、再利用が可能な包装箱が切望されている。
【０００９】
本発明は、このような従来技術の有する問題点に鑑みてなされたものであり、カット線を破断する等の煩瑣な作業を伴うことなく、内部空間に収納された被包装体を容易に取り出すことができ、再利用が可能な包装箱及びこれを用いた包装体を提供することを課題とする。
【課題を解決するための手段】
【００１０】
本発明者は上記課題を解決するために鋭意検討した結果、包装箱の側面から上部フラップにかけて、一対のスリットを形成するとともに、前記側面と相対向する側面及び上部外フラップの対応する位置にも同様に、他の一対のスリットを形成することによって、上記課題を解決することができることを見出し、本発明を完成するに至った。即ち、本発明によれば、以下に示す包装箱及びこれを用いた包装体が提供される。
【００１１】
［１］  上面、底面、及び四つの側面を有する形状に折り曲げられ、これらの面によって区画された、被包装体を収納し得る内部空間が形成された包装箱であって、相対向する一対の側面の各々から延出された一対の上部フラップを備え、前記一対の上部フラップは内側に折り曲げられて、前記上面ないし前記上面に沿う面の少なくとも一部を構成し、前記一対の側面のうちの一の側面を起点とし、その側面から延出された前記上部フラップを終点とする一対のスリットが形成されるとともに、前記一対の側面のうちの他の側面を起点とし、その側面から延出された前記上部フラップを終点とする他の一対のスリットが形成され、前記一対のスリットと前記他の一対のスリットとが、前記側面及び前記上部フラップの対応する位置に形成されている包装箱。
【００１２】
［２］  前記［１］に記載の包装箱の前記内部空間に、複数の箱体が収納された包装体であって、前記複数の箱体は、前記一対のスリットが形成された側面及び前記他の一対のスリットが形成された側面と平行する方向に一列に収納されており、前記複数の箱体のうちの少なくとも一の箱体が、前記一の側面における前記一対のスリットのスリット間領域と、前記他の側面における前記他の一対のスリットのスリット間領域との間に位置するように収納されている包装体。
【発明の効果】
【００１３】
本発明の包装箱及び包装体は、カット線を破断する等の煩瑣な作業を伴うことなく、内部空間に収納された被包装体を容易に取り出すことができる。また、本発明の包装箱は、一旦使用した後にも被包装体を収納する包装箱として再利用することが可能である。
【発明を実施するための最良の形態】
【００１４】
［１］包装箱：
本発明の包装箱は、例えば、図１〜図４に示す包装箱１のように、上面２、底面４、及び四つの側面６ａ，６ｂ，６ｃ，６ｄを有する形状に折り曲げられ、これらの面によって区画された、被包装体を収納し得る内部空間８が形成された包装箱１であり、相対向する一対の側面６ａ，６ｂの各々から延出された一対の上部フラップ１０ａ，１０ｂを備え、一対の上部フラップ１０ａ，１０ｂは内側に折り曲げられて、上面２ないし上面２に沿う面の少なくとも一部を構成し、一対の側面６ａ，６ｂのうちの一の側面６ａを起点Ｓとし、その側面６ａから延出された上部フラップ１０ａを終点Ｅとする一対のスリット１４ａ，１４ｂが形成されるとともに、一対の側面６ａ，６ｂのうちの他の側面６ｂを起点Ｓとし、その側面６ｂから延出された上部フラップ１０ｂを終点Ｅとする他の一対のスリット１６ａ，１６ｂが形成され、一対のスリット１４ａ，１４ｂと他の一対のスリット１６ａ，１６ｂとが、側面６ａ，６ｂ及び上部フラップ１０ａ，１０ｂの対応する位置に形成されたものである。
【００１５】
［１−１］基本形状：
本発明の包装箱は、上面、底面、及び四つの側面を有する形状に折り曲げられ、これらの面によって区画された、被包装体を収納し得る内部空間が形成された包装箱を基礎とするものである。
【００１６】
「上面、底面、及び四つの側面を有する形状」としては、例えば、上面と底面、一対の側面同士、他の一対の側面同士が対向するように平行に配置された六面体状、即ち、直方体状、立方体状等の形状を挙げることができる。例えば、図１〜図４に示す包装箱１は、上面２と底面４、一対の側面６ａ，６ｂ、他の一対の側面６ｃ，６ｄが対向するように平行に配置されており、いわゆる直方体状に構成されている。
【００１７】
本発明の包装箱は、相対向する一対の側面の各々から延出された一対の上部フラップを備えている。例えば、図１〜図４に示す包装箱１は、相対向する一対の側面６ａ，６ｂの各々から延出された一対の上部フラップ１０ａ，１０ｂを備えている。
【００１８】
本発明の包装箱は、少なくとも一対の上部フラップを備えている必要があるが、二対以上の上部フラップを備えているものであってもよい。例えば、図１〜図４に示す包装箱１は、一対の上部フラップ１０ａ，１０ｂを備える他、相対向する他の一対の側面６ｃ，６ｄの各々から延出された他の一対の上部フラップ１０ｃ，１０ｄを備えている。
【００１９】
これらの上部フラップは内側に折り曲げられて、包装箱の上面ないし上面に沿う面の少なくとも一部を構成するものである。「包装箱の上面」とは、包装箱の内部空間の上方を区画する面であって、その表面が包装箱の外部に露出している面を意味し、「上面に沿う面」とは、包装箱の内部空間の上方を区画する面であるが、その表面が包装箱の外部に露出されていない面を意味する。また、「上面ないし上面に沿う面の少なくとも一部」であるから、これらの上部フラップが包装箱の上面ないし上面に沿う面の一部を構成していてもよいし、全部を構成していてもよい。
【００２０】
例えば、図１〜図４に示す包装箱１は、一対の上部フラップ１０ａ，１０ｂは内側に折り曲げられて、上面２の全部を構成しており、他の一対の上部フラップ１０ｃ，１０ｄは内側に折り曲げられて、一対の上部フラップ１０ａ，１０ｂの下面側に配置されており、上面２に沿う面の一部を構成している。
【００２１】
なお、本発明の包装箱においては、一対の上部フラップのみによって「上面」が形成されている必要はなく、二対以上の上部フラップによって「上面」が形成されていてもよい。また、「上面」は包装箱の内部空間の上方の全てを閉塞している必要はなく、その一部が開口していてもよい。但し、被包装体の汚染を防止する観点から、図１〜図４に示す包装箱１のように、上面２が包装箱１の内部空間８の上方の全てを閉塞している方が好ましい。
【００２２】
この上部フラップは、上記の条件を満たし、後述するスリットを形成し得るものである限り、そのサイズや形状について特に制限はない。例えば、一対の上部フラップのサイズや形状を不均等にしてもよい。但し、一対の上部フラップを内側に折り曲げた際に、その端縁同士が当接し得るサイズないし形状に形成しておくと、その端縁同士の当接部分を粘着テープ等によって容易に封着することができ、簡易に包装ができる利点がある。
【００２３】
例えば、図１〜図４に示す包装箱１は、一対の上部フラップ１０ａ，１０ｂを包装箱１の上面を二分割したような相等しいサイズの長方形状に形成し、上部フラップ１０ａ，１０ｂを内側に折り曲げた際に、その端縁同士が当接し、包装箱１の上面２が完全に閉塞されるように構成した例である。
【００２４】
本発明の包装箱は、内部空間に密な状態で収納した際に、包装箱の内壁との間には殆ど隙間がなく、その間に手を差し入れることが困難となるような被包装体（例えば、ティシュカートンや飲料パック等の箱体、或いは、ＰＰＣ用紙の５００枚パック等）の包装用、特にティシュカートンの包装用として好適に用いることができる。包装箱のサイズについては特に制限はないが、５個のティシュカートンを一列に収納（包装）する包装箱の場合であれば、幅２４〜５２ｃｍ、奥行き１１〜１３ｃｍ、高さ２４〜２６ｃｍとすることが好ましい。
【００２５】
［１−２］スリット：
本発明の包装箱においては、一対の側面のうちの一の側面を起点とし、その側面から延出された上部フラップを終点とする一対のスリットが形成されるとともに、一対の側面のうちの他の側面を起点とし、その側面から延出された上部フラップを終点とする他の一対のスリットが形成されている。そして、一対のスリットと他の一対のスリットとは、包装箱の側面及び上部フラップの対応する位置に形成されている。
【００２６】
上記のように、一対のスリットを形成しておくことによって、包装箱の開梱時にスリットの間の領域（スリット間領域）が包装箱の外側に向かって開口する。従って、包装箱の内部空間に収納された被包装体のうち、包装箱の側面によって覆われていた部分が露出され、その露出された部分を摘み上げることにより、被包装体を容易に取り出すことが可能となる。この際、従前の包装箱や段ボール箱のように、カット線等を破断する必要がないので、煩瑣な作業を伴うことなく、内部空間に収納された被包装体を容易に取り出すことができる。また、取り出しの際に包装箱を破断するわけではないので、一旦使用した後にも、被包装体を収納する包装箱として再利用することができる。
【００２７】
「スリット」とは、包装箱の構成材料（例えば、紙材料等）を貫通する切れ目である。本発明の包装箱においては、スリット間領域を包装箱の外側に向かって開口させるため、包装箱の側面から上部フラップにかけて連続的に一対のスリットが形成されている。即ち、包装箱の側面のみ、或いは上部フラップのみにスリットを形成しても本発明の効果は得られない。なお、スリットに代えて、スリットに対応する長さのミシン目を形成しておいてもよい。
【００２８】
「一対」とは、対になる二本のスリットが沿うように形成されていることを意味し、必ずしも二本のスリットが平行に形成されていることを要しない。例えば、各スリットが側面と上部フラップの稜線上で屈曲するような「くの字状」に形成されており、二本のスリットの「くの字」の屈曲点が互いに内側に向くように配置されたもの（「＜  ＞」状）、二本のスリットの「くの字」の屈曲点が互いに外側に向くように配置されたもの（「＞  ＜」状）であってもよい。即ち、このような二本のスリットもスリット間領域を包装箱の外側に向かって開口させることができ、本明細書にいう「一対のスリット」に含まれる。
【００２９】
但し、スリット形成の容易さを考慮すると、一対のスリットは二本の直線状のスリットが平行に形成されていることが好ましい。そして、包装箱の開梱時にスリット間領域を大きく開口させ、被包装体を摘み上げ易くするという理由から、側面と上部フラップの稜線からスリットの起点（側面側の端点）までの距離と、前記稜線からスリットの終点（上部フラップ側の端点）までの距離が相等しいことが好ましい。
【００３０】
例えば、図１〜図４に示す包装箱１は、一対の側面６ａ，６ｂのうちの一の側面６ａを起点Ｓとし、その側面６ａから延出された上部フラップ１０ａを終点とする一対のスリット１４ａ，１４ｂが形成されている。そして、この一対のスリット１４ａ，１４ｂは、二本の直線状のスリット１４ａ，１４ｂが平行に形成されており、側面６ａと上部フラップ１０ａの稜線Ｌからスリット１４ａ，１４ｂの起点Ｓ（側面６ａ側の端点）までの距離と、稜線Ｌからスリット１４ａ，１４ｂの終点Ｅ（上部フラップ１０ａ側の端点）までの距離が相等しく構成されている。
【００３１】
側面と上部フラップの稜線からスリットの起点までの距離と、スリットの終点までの距離については特に制限はないが、ティシュカートン用の包装箱（５個詰め）の場合であれば、各々の距離が３〜４ｃｍであることが好ましい。３ｃｍ未満であると、スリット間領域が包装箱の外側に向かって開口しても、その開口部分の容積が小さすぎてティシュカートンを確実に摘み上げることが困難となる場合がある。４ｃｍを超えると、上部フラップの長さよりスリットの長さが長くなってしまい、上部フラップにスリットを形成することができなくなる場合がある。
【００３２】
また、一対のスリットのスリット間距離についても特に制限はないが、ティシュカートン用の包装箱（５個詰め）の場合であれば、スリット間距離が側面の全長に対して１０〜８０％の長さであることが好ましく、２０〜７０％の長さであることが更に好ましい。側面の全長に対して１０％未満の長さであると、スリット間領域が包装箱の外側に向かって開口しても、その開口部分の幅が狭すぎてティシュカートンを確実に摘み上げることが困難となる場合がある。８０％を超える長さであると、包装箱を開梱する際に（スリット間領域を外側に開く際に）、包装箱側面におけるスリット間領域より外側の部分が破損し易くなり、包装箱の再利用に支障をきたす場合がある。
【００３３】
なお、図１〜図４に示す包装箱１では、二対ある上部フラップ（上部フラップ１０ａ，１０ｂ、上部フラップ１０ｃ，１０ｄ）のうち、折り曲げて包装箱１を形成した際に、箱体の外側に配置される外フラップ（上部フラップ１０ａ，１０ｂ）にスリット１４ａ，１４ｂ、スリット１６ａ，１６ｂを形成しているが、本発明の包装箱はこのような形態に限られるものではない。即ち、折り曲げて包装箱を形成した際に、箱体の内側に配置される内フラップ（図１〜図４に示す包装箱１の場合であれば、上部フラップ１０ｃ，１０ｄ）にスリットを形成したものも、同様の効果を得ることができ、本発明の範囲に含まれる。
【００３４】
また、本発明の包装箱においては、一対の側面のうちの他の側面を起点とし、その側面から延出された前記上部フラップを終点とする他の一対のスリットが形成される。例えば、図１〜図４に示す包装箱１においては、一対の側面６ａ，６ｂのうちの他の側面６ｂを起点Ｓとし、その側面６ｂから延出された上部フラップ１０ｂを終点Ｅとする他の一対のスリット１６ａ，１６ｂが形成されている。
【００３５】
この「他の一対のスリット」の構成については、既に述べた「一対のスリット」と同様の構成を採用することができるが、既に述べた「一対のスリット」と「他の一対のスリット」とが全く同じ構成である必要はない。例えば、スリットの長さやスリット間距離が、「一対のスリット」と「他の一対のスリット」とで異なっていてもよい。
【００３６】
但し、本発明の包装箱においては、一対のスリットと他の一対のスリットとが、側面及び上部フラップの対応する位置に形成されていることが必要である。「対応する位置に」とは、図２に示す包装箱１のように、側面６ａと上部フラップ１０ａ、側面６ｂと上部フラップ１０ｂを各々、一の平面上に配置させ、一対のスリット１４ａ，１４ｂが形成された側面６ａ及び上部フラップ１０ａから、他の一対のスリット１６ａ，１６ｂが形成された側面６ｂ及び上部フラップ１０ｂを透視した場合に、スリット間領域１８とスリット間領域２０の少なくとも一部が重複していることを意味する。
【００３７】
上記のような構成とすることにより、包装箱の側面方向において、スリット間領域によって形成される二つの開口部分の少なくとも一部が重なるため、その二つの開口部分の間に存在する被包装体を指で容易に摘み上げることが可能となる。換言すれば、スリット間領域の少なくとも一部が重複している限り、一対のスリットと他の一対のスリットの位置がずれていても本発明の効果を得ることができる。
【００３８】
図１〜図４に示す包装箱１は、一対のスリット１４ａ，１４ｂと他の一対のスリット１６ａ，１６ｂに全く同様の構成を採用した例であり、スリットの長さ、スリット間距離が相等しく形成されている。また、図２に示すように、側面６ａと上部フラップ１０ａ、側面６ｂと上部フラップ１０ｂを各々、一の平面上に配置させ、一対のスリット１４ａ，１４ｂが形成された側面６ａ及び上部フラップ１０ａから、他の一対のスリット１６ａ，１６ｂが形成された側面６ｂ及び上部フラップ１０ｂを透視した場合に、スリット間領域１８，２０の全部が重複するように構成した例である。この例では、包装箱１の側面６ａ，６ｂ方向において、スリット間領域１８，２０によって形成される二つの開口部分２２，２４の全部が重なることになる。
【００３９】
［２］包装体：
本発明の包装体は、既に説明した本発明の包装箱の内部空間に、複数の箱体が収納された包装体であり、複数の箱体は、一対のスリットが形成された側面及び他の一対のスリットが形成された側面と平行する方向に一列に収納されており、複数の箱体のうちの少なくとも一の箱体が、一の側面における一対のスリットのスリット間領域と、他の側面における他の一対のスリットのスリット間領域との間に位置するように収納されているものである。
【００４０】
例えば、図５〜図７に示す包装体５０は、図１〜図４に示す包装箱１を利用した包装体であり、包装箱の内部空間に、５個の箱体５２ａ〜５２ｅが収納されたものである。この包装体５０においては、５個の箱体５２ａ〜５２ｅは、一対のスリット１４ａ，１４ｂが形成された側面６ａ及び他の一対のスリット１６ａ，１６ｂが形成された側面６ｂと平行する方向に一列に収納されている。そして、５個の箱体５２ａ〜５２ｅのうちの一の箱体５２ｃが、一の側面６ａにおける一対のスリット１４ａ，１４ｂのスリット間領域１８と、他の側面６ｂにおける他の一対のスリット１６ａ，１６ｂのスリット間領域２０との間に位置するように収納されている。
【００４１】
このような包装体は、図７に示すように、包装体５０を開梱すると、一の箱体５２ｃの両側に開口部分２２，２４が形成され、箱体５２ｃのうち包装箱の側面６ａ，６ｂによって覆われていた部分が露出され、その露出された部分を摘み上げることにより、箱体５２ｃを容易に取り出すことが可能となる。
【００４２】
図５〜図７に示す包装体５０は、一の箱体５２ｃの幅とスリット１４ａ，１４ｂ及びスリット１６ａ，１６ｂのスリット間距離とが一致するように形成されており、開梱時に一の箱体５２ｃの側面のみが開口部分２２，２４から露出されるように構成された例である。
【００４３】
但し、本発明の包装体は、複数の箱体のうちの「少なくとも一の箱体」が、一の側面におけるスリット間領域と、他の側面におけるスリット間領域との間に位置するように収納されていればよいため、二つのスリット間領域の間に、二以上の箱体が位置するように収納されていてもよい。即ち、開梱時に二以上の箱体の側面が開口部分から露出されるように構成してもよい。この場合、一の箱体の幅よりもスリット間距離を長く構成すればよい。また、これとは逆に、一の箱体の幅よりもスリット間距離を短く構成し、一の箱体の側面のうち幅方向の一部のみが露出されるように構成してもよい。
【００４４】
［３］包装箱及び包装体の製造方法：
本発明の包装箱及び包装体の製造方法を、図５〜図７に示す包装体の例により説明する。本発明の包装箱は、紙材料等からなるカートンブランクを折り曲げることによって形成することができる。カートンブランクの構成については、上面、底面、及び四つの側面を有する形状に折り曲げることができ、これらの面によって区画された、被包装体を収納し得る内部空間を形成し得るものである限り特に制限はないが、例えば、図８に示すような構成のカートンブランク１００を好適に用いることができる。
【００４５】
図８に示すカートンブランク１００は、一枚の紙材料によって形成されており、図中、破線で示される折り曲げ線を介して、包装箱の一対の側面に対応する一対の側面パネル１０６ａ，１０６ｂ、包装箱の他の一対の側面６ｃ，６ｄに対応する他の一対の側面パネル１０６ｃ，１０６ｄが配置されている。また、一対の側面パネル１０６ａ，１０６ｂの端縁からは、折り曲げ線を介して上部フラップ１０ａ，１０ｂ及び底部フラップ１１０ａ，１１０ｂが延出されており、他の一対の側面パネル１０６ｃ，１０６ｄの端縁からは、折り曲げ線を介して上部フラップ１０ｃ，１０ｄ及び底部フラップ１１０ｃ，１１０ｄが延出されている。更に、側面パネル１０６ｃの一の側縁部からは、折り曲げ線を介して、接合代１０８が延出されている。
【００４６】
そして、一対の側面パネル１０６ａ，１０６ｂのうちの一の側面パネル１０６ａを起点Ｓとし、その側面パネル１０６ａから延出された上部フラップ１０ａを終点Ｅとする一対のスリット１４ａ，１４ｂが形成されるとともに、一対の側面パネル１０６ａ，１０６ｂのうちの他の側面パネル１０６ｂを起点Ｓとし、その側面パネル１０６ｂから延出された上部フラップ１０ｂを終点Ｅとする他の一対のスリット１６ａ，１６ｂが形成され、一対のスリット１４ａ，１４ｂと他の一対のスリット１６ａ，１６ｂとが、包装箱に組み立て際に、その側面及び上部フラップの対応する位置に配置されるように形成されている。
【００４７】
このようなカートンブランク１００は、各折り曲げ線を折り曲げ、接合代１０８と側面パネル１０６ｂとを重ね合わせ、その重なり部分を接着剤等を用いて接着することにより、上面２側及び底面４側が開放された角筒状とする。その後、底部フラップ１１０ｃ，１１０ｄ（内フラップ）、次いで、底部フラップ１１０ａ，１１０ｂ（外フラップ）を内側に折り曲げ、その底部フラップ１１０ａ，１１０ｂの端縁の当接部分を粘着テープ等によって封着する。こうすることにより、上面２側が開口され、被包装体を収納し得る内部空間が形成された包装箱とすることができる。
【００４８】
この包装箱の内部空間に、複数の箱体５２ａ〜５２ｅを収納して包装体５０とする。この際、複数の箱体５２ａ〜５２ｅを、一対のスリット１４ａ，１４ｂが形成された側面６ａ及び他の一対のスリット１６ａ，１６ｂが形成された側面６ｂと平行する方向に一列に収納する。そして、複数の箱体５２ａ〜５２ｅのうちの少なくとも一の箱体５２ｃが、一の側面６ａにおける一対のスリット１４ａのスリット間領域１８と、他の側面６ｂにおける他の一対のスリット１６ａ，１６ｂのスリット間領域２０との間に位置するように収納する。
【００４９】
上記のように、複数の箱体５２ａ〜５２ｅを収納した後、上部フラップ１０ｃ，１０ｄ（内フラップ）、次いで、上部フラップ１０ａ，１０ｂ（外フラップ）を内側に折り曲げ、その上部フラップ１０ａ，１０ｂの端縁の当接部分を粘着テープ等によって封着することによって、カートンブランク１００を、図５〜図７に示すような包装体５０とすることができる。
【００５０】
本発明の包装体は、内部空間に密な状態で収納した際に、包装箱の内壁との間には殆ど隙間がなく、その間に手を差し入れることが困難となるような被包装体（例えば、ティシュカートンや飲料パック等の箱体、或いは、ＰＰＣ用紙の５００枚パック等）の包装用、特にティシュカートンの包装用として好適に用いることができる。
【００５１】
［４］包装箱の別の実施形態：
以上、本発明の包装箱及び包装体について説明してきたが、包装箱の側面から上部フラップにかけて一対のスリットを形成することに代えて、包装箱の側面から上部フラップに跨る一の開口部を形成した場合にも同様の効果を得ることができる。
【００５２】
例えば、図９に示す包装箱６０は、上面２、底面４、及び四つの側面６ａ，６ｂ，６ｃ，６ｄを有する形状に折り曲げられ、これらの面によって区画された、被包装体を収納し得る内部空間が形成された包装箱であり、相対向する一対の側面６ａ，６ｂの各々から延出された一対の上部フラップ１０ａ，１０ｂを備え、一対の上部フラップ１０ａ，１０ｂは内側に折り曲げられて、上面２ないし上面２に沿う面の少なくとも一部を構成し、一対の側面６ａ，６ｂのうちの一の側面６ａと、その側面６ａから延出された上部フラップ１０ａとに跨る一の開口部６２が形成されるとともに、一対の側面６ａ，６ｂのうちの他の側面６ｂと、その側面６ｂから延出された上部フラップ１０ｂとに跨る他の開口部６４が形成され、一の開口部６２と他の開口部６４とが、側面６ａ，６ｂ及び上部フラップ１０ａ，１０ｂの対応する位置に形成されているものである。
【００５３】
このような包装箱は、既に説明した本発明の包装箱のように、包装箱の開梱時に開口部分が形成されるのではなく、予め包装箱に開口部が形成されているものである。このような包装箱も、その内部空間に複数の箱体を収納することにより包装体とすることができる。この際、複数の箱体は、一の開口部が形成された側面及び他の一対のスリットが形成された側面と平行する方向に一列に収納し、複数の箱体のうちの少なくとも一の箱体が、一の開口部のうちの側面に形成された部分と、他の開口部のうちの側面に形成された部分との間に位置するように収納する。このような包装体では、一の箱体の両側に開口部が位置しており、箱体の一部が予め露出されていることになる。従って、包装体を開梱した後、その予め露出されていた部分を摘み上げることにより、箱体を容易に取り出すことができる。なお、この実施形態においては、開口部を形成することに代えて、開口部の形状と合致する形状にミシン目を形成しておいてもよい。
【産業上の利用可能性】
【００５４】
本発明の包装箱及び包装体は、その内部空間に被包装体が密な状態で収納されていても被包装体を容易に取り出すことができるので、例えば、箱体のように、収納した際に、包装箱の内壁との間に殆ど隙間がなく、その間に手を差し入れることが困難となってしまう被包装体用の包装材として好適に用いることができる。具体的には、ティシュカートンをはじめとする、キッチンペーパー等のペーパータオル、シート状のトイレットペーパー、ワッティング（紙綿）等の衛生用紙を収納した衛生用紙収納用カートンの包装箱及び包装体として好適に用いることができる。
【図面の簡単な説明】
【００５５】
【図１】本発明の包装箱の一の実施形態を示す斜視図である。
【図２】図１に示す包装箱の上面を開放した状態を示す斜視図である。
【図３】図１に示す包装箱の上部フラップを左右に開いた状態を示す斜視図である。
【図４】図３に示す包装箱のＡ−Ａ’断面を示す断面図である。
【図５】本発明の包装体の一の実施形態を示す斜視図である。
【図６】図５に示す包装体を構成する包装箱の上面を開放した状態を示す斜視図である。
【図７】図５に示す包装体を構成する包装箱の上部フラップを左右に開いた状態を示す斜視図である。
【図８】図１に示す包装箱の材料となるカートンブランクの展開図である。
【図９】包装箱の別の実施形態を示す斜視図である。
【符号の説明】
【００５６】
１，６０：包装箱、２：上面、４：底面、６ａ，６ｂ，６ｃ，６ｄ：側面、８：内部空間、１０ａ，１０ｂ，１０ｃ，１０ｄ：上部フラップ、１４ａ，１４ｂ，１６ａ，１６ｂ：スリット、１８，２０：スリット間領域、２２，２４：開口部分、５０：包装体、５２ａ〜５２ｅ：箱体、６２，６４：開口部、１００：カートンブランク、１０６ａ，１０６ｂ，１０６ｃ，１０６ｄ：側面パネル、１０８：接合代、１１０ａ，１１０ｂ，１１０ｃ，１１０ｄ：底部フラップ、Ｓ：起点、Ｅ：終点、Ｌ：稜線。
【図１】
2007320632.tif 000003
【図２】
2007320632.tif 000004
【図３】
2007320632.tif 000005
【図４】
2007320632.tif 000006
【図５】
2007320632.tif 000007
【図６】
2007320632.tif 000008
【図７】
2007320632.tif 000009
【図８】
2007320632.tif 000010
【図９】
2007320632.tif 000011